(57)【要約】  本発明は、ユーザの脛前面に着用するものであって、プレート状で形成される本体、前記本体の下辺中心から上方へ切開されて形成される足元定着部を備えるフィン部、及び前記本体の側面に前記本体の長さ方向に垂直に結合する１つ以上のバンド、前記バンドの両端に各々結合して互いに締め付け可能に構成される一対の第１の締付装置を備える、履物とともに着用する足ひれを提供する。
2021533969.tif 000002
【特許請求の範囲】
【請求項１】
ユーザの脛前面に着用するものであって、プレート状で形成される本体、前記本体の下辺中心から上方へ切開されて形成される足元定着部を備えるフィン部と、
前記本体の側面に前記本体の長さ方向に垂直に結合する１つ以上のバンド、前記バンドの両端に各々結合して互いに締め付け可能に構成される一対の第１の締付装置と、
を備える、履物とともに着用する足ひれ。
【請求項２】
前記足元定着部に定着して結合する履物部をさらに備え、前記履物部の両側面に配置され、前記一対の第１の締付装置と互いに締め付け可能に構成される第２の締付装置が結合されることを特徴とする請求項１に記載の履物とともに着用する足ひれ。
【請求項３】
前記フィン部の前記本体前面に長さ方向に河道を形成するように複数個の突出部が形成されることを特徴とする請求項１に記載の履物とともに着用する足ひれ。
【請求項４】
前記履物部は、アクアシューズまたはサンダルの中から選択されたいずれか１つであることを特徴とする請求項２に記載の履物とともに着用する足ひれ。
【請求項５】
前記フィン部は、全体輪郭が上辺が短い台形状で形成され、前記足元定着部は、前記履物部が入り得るように対応する形状で形成されることを特徴とする請求項２に記載の履物とともに着用する足ひれ。
【請求項６】
前記フィン部は、前記本体の長さ方向に対して垂直に折り畳み線が形成されることを特徴とする請求項２に記載の履物とともに着用する足ひれ。
【請求項７】
前記フィン部が前記折り畳み線に沿って折り畳まれれば、一対の前記第１の締付装置が一対の前記第２の締付装置と結合することを特徴とする請求項６に記載の履物とともに着用する足ひれ。
【発明の詳細な説明】
【技術分野】
【０００１】
本発明は、水泳の際、履物とともに着用する足ひれに関する。
【背景技術】
【０００２】
足ひれは、スキンスキューバダイビングのような海洋レジャー活動や水泳の際に足に着用する装備であって、ユーザが足を利用して足ひれを掻いて水中で推進力を得る。
【０００３】
足ひれは、図１に示したように、ユーザが足に挟んで体に固定させることができるように履物の形になった履物部２と、その履物部２に一体に形成されており、足先方向に延長された平板形態であるフィン部１とで構成されている。
【０００４】
ユーザが足を利用して水中で足ひれを掻けば、平板形態のフィン部１が水により抗力と揚力を受けるようになり、それにより、推進力を得てユーザが水中で前へ進むことができるようになる。
【０００５】
推進力を得るためには、水により抗力を受けることができる設定面積以上の平板形態のフィン部１があるべきであり、平板形態のフィン部１は、ユーザが着用の際、底に広く位置するので、足ひれを着用して歩くことが不便になる。特に、谷や磯等で水遊びの際、足ひれを着用して歩行が難しく、滑る危険があるなど、問題がある。
【発明の概要】
【発明が解決しようとする課題】
【０００６】
したがって、本発明は、海辺や谷で容易に歩行可能であり、水中では、フィンの役割をすることができる、履物とともに着用する足ひれを提供することを目的とする。
【課題を解決するための手段】
【０００７】
本発明は、ユーザの脛前面に着用するものであって、プレート状で形成される本体、前記本体の下辺中心から上方へ切開されて形成される足元定着部を備えるフィン部と、前記本体の側面に前記本体の長さ方向に垂直に結合する１つ以上のバンド、前記バンドの両端に各々結合して互いに締め付け可能に構成される一対の第１の締付装置とを備える、履物とともに着用する足ひれを提供する。
【０００８】
前記足元定着部に定着して結合する履物部をさらに備え、前記履物部の両側面に配置され、前記一対の第１の締付装置と互いに締め付け可能に構成される第２の締付装置が結合されることを特徴とする。
【０００９】
前記フィン部の前記本体前面に長さ方向に河道を形成するように複数個の突出部が形成されることを特徴とする。
【００１０】
前記履物部は、アクアシューズまたはサンダルの中から選択されたいずれか１つであることを特徴とする。
【００１１】
前記フィン部は、全体輪郭が上辺が短い台形状で形成され、前記足元定着部は、前記履物部が入り得るように対応する形状で形成されることを特徴とする。
【００１２】
前記フィン部は、前記本体の長さ方向に対して垂直に折り畳み線が形成されることを特徴とする。
【００１３】
前記フィン部が前記折り畳み線に沿って折り畳まれれば、一対の前記第１の締付装置が一対の前記第２の締付装置と結合することを特徴とする。
【発明の効果】
【００１４】
本発明は、上記のような従来の諸問題を解決するためのものであって、履物に着脱可能にフィン部を締め付けて、入水前後に履いたり脱いだりする着用の面倒さがなく、入水前の作業や足の保護を目的として着用して、歩行し、行動するのに不便さがなく、入水後、足の保護はもちろん、水中作業及び水中移動の加速、水中行動など、一石二鳥の効果があり、特に、谷や磯で歩行が容易であり、水中でフィン部の水に対する十分な抵抗を受けることができる面積を有し、推進力を得ることができ、水中作業や水中歩行の際、必要に応じて簡単な操作で履物形態や足ひれ形態に形状を変形させて、機能に合うように使用できるという効果がある。
【図面の簡単な説明】
【００１５】
【図１】一般的な足ひれを示した図である。
【図２】本発明の実施形態に係る履物とともに着用する足ひれを着用した状態を示した側面図である。
【図３】本発明の実施形態に係る履物とともに着用する足ひれのフィン部を示した正面図である。
【図４】図３のA−A線の断面を示した断面図である。
【図５】本発明の実施形態に係る履物とともに着用する足ひれのフィン部を折り畳んだ状態を示した側面図である。
【図６】本発明の実施形態に係る履物とともに着用する足ひれを着用して泳ぐときの状態を示した図である。
【発明を実施するための形態】
【００１６】
このような目的を達成するための本発明に係る履物とともに着用する足ひれは、プレート状のフィン部を脛前面に着用して足ひれ機能として使用したり、履物足元側にフィン部の一部を折り畳んで収容することができ、水中でも、陸上でも容易に使用することができる足ひれを提供することに特徴がある。
【００１７】
以下、本発明に係る望ましい実施形態を添付された図面を参照して詳細に説明する。
【００１８】
図２は、本発明の実施形態に係る足ひれ兼用履物を着用した状態を示した側面図であり、図３は、図２の足ひれ兼用履物のフィン部１００を示した正面図であり、図４は、図３のフィン部１００のＡ−Ａ線断面図である。
【００１９】
本発明の実施形態に係る履物とともに着用する足ひれは、フィン部１００、履物部２００、締め付け部３００で構成される。
【００２０】
フィン部１００は、ユーザの脛前面に着用するものであって、本体１１０の全体的な輪郭が上辺が短い台形プレート状で形成される。台形状の本体１１０の高さは、履物着用の際、膝蓋骨の高さより小さく形成されなければならない。それより大きく形成される場合、折り畳んだとき、歩行に不便を与える可能性がある。本体１００の高さは、履物高さと類似するものの、歩行に干渉を与えない高さに設定することができる。履物左右に配置されるフィンの広さでも揚力が発生することを確認した。本体１１０の台形状の下辺中心で前記履物部２００の幅に該当する大きさで上方に切開されて足元定着部１２０が形成される。足元定着部１２０は、幅が履物部２００の幅に対応し、高さが履物部２００の足元高さに対応するように形成されて、履物部２００は、足元に該当する位置が足元定着部１２０に挿入された状態でフィン部１００と結合するようになる。足元定着部１２０端部は、履物部２００に接着剤を用いるか、裁縫などの方法にて結合される。足元定着部１２０の両側面に、履物部２００の両側面に位置して履物部２００とともに水の抵抗を利用して推進力を起こすことができるようにする側面部１３０ａ、１３０ｂが形成される。フィン部本体１１０は、長さ方向に沿って河道を形成するための突出部１４０が複数個形成される。突出部１４０は、ユーザが足ひれを履いて水中で足を掻くと、水の流れをがイドしてフィン部１００が受けることになる抗力を減少させることができる。これにより、ユーザが足首と足に受けるようになる負担が減少し、疲労と負傷の危険が減るようになる。一方、フィン部１００本体１１０の長さ方向に対して垂直に折り畳み線１１１が形成される。折り畳み線１１１は、本体１１０の他の部位に比べて厚みを小さくして、フィン部本体１１０が長さ方向に対して垂直に折り畳まれて履物部２００に付着、折り畳みされることができるようにする。フィン部本体１１０の正面上端中央に第１の接着部材１５０が形成され、履物部２００の本体１１０が折り畳まれるとき、上端と会う位置に第１の接着部材１５０と接着される第２の接着部材２１０が形成されることが好ましい。
【００２１】
一方、図３のＡ−Ａ線断面図である図４に示すように、フィン部１００は、本体１１０が長さ方向中央、すなわち、着用の際、脛と会う部位が凹んで形成されて、着用後にフィン部本体１１０が回ることを防止し、着用感を良好にすることができる。
【００２２】
本発明の実施形態に係る足ひれのフィン部は、硬質や軟質でない中質で使用することが好ましい。着用の際、軽くなければならず、、推進力を作り出しながらも、水の抵抗を最小化できる材質で製作されることが好ましい。
【００２３】
履物部２００は、サンダル、アクアシューズ、運動靴を適用できる。図面の形状に本発明の権利範囲が制限されない。足ひれ機能は、水中で使用するので、履物部２００は、サンダルやアクアシューズを適用することが好ましい。履物部２００は、両側面に、後述する第２の締付装置３３０を備えることが好ましい。
【００２４】
締め付け部３００は、バンド３１０、前記バンド３１０の両端に結合される第１の締付装置３２０、前記第１の締付装置３２０と各々対応する形状で形成されて締め付けられる第２の締付装置３３０を備える。第１の締付装置３２０と第２の締付装置３３０とは、バックルを使用できるが、これに権利範囲が制限されない。バンド３１０は、図２に示されるように、フィン部１００本体１１０の着用の際、脛と会う位置に１つ以上結合される。バンド３１０は、本体１１０の前面または背面に結合したり、側端に結合することができる。バンド３１０は、１つ以上、複数個が結合してユーザの下腿に固く結合することができる。バンド３１０の両端部には、第１の締付装置３２０が各々結合し、第１の締付装置３２０は、互いに結合できるように雌雄が対応するように配置されることができる。第２の締付装置３３０は、履物部２００の両側面に配置され、前記第１の締付装置３２０と各々結合されるように雌雄を設定して配置される。
【００２５】
図５は、本発明の実施形態に係る足ひれのフィン部１００本体１１０が折り畳まれた状態を示す。本体１１０は、折り畳み線１１１に沿って折り畳まれ、履物部２００の足元に触れるようになる。本体１１０の第１の接着部材１５０と、対応する履物部２００の第２の接着部材２１０とが結合して、歩くとき、フィン部本体１１０が動かないようにすることができる。また、本体１１０に結合されたバンド３１０の端部に結合された第１の締付装置３２０は、履物部２００に形成された第２の締付装置３３０と結合して、足ひれを着用して歩行するとき、不便でないようにする。一方、足ひれ使用のために着用するときは、図２のように、バンド３１０の両端にある第１の締付装置３２０が互いに結合してユーザの下腿を包んで結合することができる。
【００２６】
本発明の他の実施形態によれば、本体１１０の長さを履物高さに対応するように設定して、足ひれとして使用する際、別の締付装置で本体１１０を下腿に締め付けることなく使用可能にすることもできる。
【００２７】
図６は、本発明の実施形態に係る履物とともに着用する足ひれを着用して泳ぐときの状態を示した図である。泳ぐの際、キックをするとき、フィン部１００が図示されたように配置されて、足の動きにしたがって水の揚力を受けて推進力が発生するようになる。
【００２８】
前述したように構成される足ひれによれば、履物に着脱可能にフィン部を締め付けて、入水前後、履いたり脱いだりする着用の面倒さがなく、入水前の作業や足の保護を目的として着用して、歩行し、行動するのに不便さがなく、入水後、足の保護はもちろん、水中作業及び水中移動の加速、水中行動など、一石二鳥の効果があり、特に、谷や磯で歩行が容易であり、水中でフィン部の水に対する十分な抵抗を受けることができる面積を有し、推進力を得ることができ、水中作業や水中歩行の際、必要に応じて簡単な操作で履物形態や足ひれ形態に形状を変形させて、機能に合うように使用できるという効果がある。
【図１】
2021533969.tif 000003
【図２】
2021533969.tif 000004
【図３】
2021533969.tif 000005
【図４】
2021533969.tif 000006
【図５】
2021533969.tif 000007
【図６】
2021533969.tif 000008
【国際調査報告】
2021533969.tif 000009
2021533969.tif 000010
2021533969.tif 000011
2021533969.tif 000012